(57)【要約】【課題】  正当な訪問者であるのか、不審な訪問者であるのかを確実に判別する。【解決手段】  宅外に設置されたインターホン子機１０によって、ＩＤタグ４０から読み取られた固有の識別子を、センター装置３０が、データベース３１を参照して認証処理し、認証処理結果を、宅内に設置されたインターホン親機２０を介して宅内にいる住人に報知することで実現する。【選択図】      図１
2006303806.tif 000002
【特許請求の範囲】
【請求項１】
宅外に設置されたインターホン子機と、
前記インターホン子機からの呼び出しに応じて応答し、前記インターホン子機との通話をする宅内に設置されたインターホン親機と、
固有の識別子を保持してなるＩＤ（IDentification）タグと、
正当な訪問者に付与された前記ＩＤタグの前記固有の識別子と、前記正当な訪問者に関連する関連情報とを対応付けて格納するデータベースを有するセンター装置とを備え、
前記インターホン子機は、前記ＩＤタグから前記固有の識別子を読み取る読み取り手段を有し、
前記センター装置は、前記読み取り手段によって読み取られた前記固有の識別子を用いて、前記データベースを参照し、前記固有の識別子の認証処理を行う認証処理手段と、
前記認証処理手段によって、前記固有の識別子が認証された場合に、前記データベースより、前記固有の識別子に対応付けて格納されている前記関連情報を取得し、認証処理結果と、前記関連情報とを前記インターホン親機へ送信し、
前記認証処理手段によって、前記固有の識別子が認証されなかった場合に、認証処理結果を前記インターホン親機へ送信する送信手段とを有し、
前記インターホン親機は、前記送信手段によって送信された前記認証処理結果、前記関連情報を表示する表示手段を有すること
を特徴とするインターホンシステム。
【請求項２】
前記インターホン子機又は前記インターホン親機は、当該インターホン子機及び当該インターホン親機が設置された住宅を一意に特定する固有の識別子である住宅ＩＤを、前記固有の識別子と共に前記センター装置へ送信し、
前記センター装置は、前記住宅ＩＤを、前記住宅ＩＤを受信した受信時刻と、前記固有の識別子と共に、前記ＩＤタグを付与された前記正当な訪問者の行動履歴として、前記データベースに格納すること
を特徴とする請求項１記載のインターホンシステム。
【請求項３】
前記ＩＤタグは、質問電波を受信したことによる電磁誘導により発生する電力で動作し、前記固有の識別子を含む応答電波を送信する非接触情報媒体であり、
前記インターホン子機は、前記インターホン親機を呼び出す際の呼び出しボタンを押下したことに応じて、前記ＩＤタグに対する前記質問電波を送信するよう制御する第１の制御手段を有すること
を特徴とする請求項１記載のインターホンシステム。
【請求項４】
インターホン子機が設置された近傍領域に存在する人体を検出する人体検出センサをさらに備え、
前記インターホン子機は、前記人体検出センサによって人体の存在が検出されたことに応じて、前記ＩＤタグに対する前記質問電波を送信する第２の制御手段を有すること
を特徴とする請求項１記載のインターホンシステム。
【請求項５】
インターホン子機が設置された近傍領域を撮像する撮像手段をさらに備え、
前記インターホン子機は、前記インターホン親機を呼び出す際の呼び出しボタンが押下されたこと、又は前記人体検出センサによって人体の存在が検出されたことに応じて、前記撮像手段による当該インターホン子機が設置された近傍領域の撮像を開始するよう制御する撮像制御手段を有し、
前記インターホン親機は、前記撮像手段によって撮像された画像を、前記関連情報と共に前記表示手段に表示させるよう制御する表示制御手段を有すること
を特徴とする請求項４記載のインターホンシステム。
【請求項６】
前記インターホン子機、又は前記インターホン親機は、前記撮像手段によって撮像された画像を記録する画像記録手段を有し、
前記インターホン子機、又は前記インターホン親機は、前記センター装置の前記認証処理手段によって、前記固有の識別子が認証されなかった場合の、前記撮像手段で撮像された画像を前記画像記録部に記録させるよう制御する画像記録制御手段を有すること
を特徴とする請求項５記載のインターホンシステム。
【発明の詳細な説明】
【技術分野】
【０００１】
本発明は、宅外に設置されたインターホン子機、宅内に設置されたインターホン親機を介した通話により、屋外に出ることなく住宅内から訪問者を確認することができるインターホンシステムに関し、詳しくは、ＩＤ（IDentification）タグを利用した認証処理を実行することで不審な訪問者を識別することができるインターホンシステムに関する。
【背景技術】
【０００２】
住宅の入口付近といった住宅外（宅外）に設置された子機と、住宅内（宅内）に設置された親機との通信により住宅内にいる住人が、住宅外にいる訪問者と通話することができるインターホンシステムが広く普及している。
【０００３】
このようなインターホンシステムは、住宅内で済んでしまうような用件の場合、わざわざ玄関まで出向くといった煩わしさを解消でき、ユーザにとって非常に利便性が高い通話システムである。特に不審な訪問者がきた場合には、その場で応対を拒否することができるなど、快適で、安全性の高い暮らしを支援することができる。
【０００４】
しかしながら、近年、悪質な訪問販売や、不審な訪問者の増加と共に、訪問者の応対が巧妙化したため、インターホンシステムによる音声だけの受け答えだけでは、不審な訪問者であるのか、正当な訪問者であるのかどうかを判別することができない状況が増加している。
【０００５】
そこで、インターホンシステムのインターホン子機側にカメラを備え、インターホン親機側に設けられたモニタに、このカメラで撮像された訪問者の画像を表示させることで、住宅を訪問してきた訪問者を住宅内にいながら視覚的に識別することができるシステムも考案、実施されている。
【０００６】
しかしながら、このように訪問者を視覚的に表示させることができるインターホンシステムを用いた場合でも、例えば、不審な訪問者が配送業者を装い、偽の制服を着用して、偽の伝票をカメラに撮像させるなど、住宅内にいる住人を惑わすなりすまし行為を簡単に実行できてしまうといった問題がある。
【０００７】
また、訪問者が、身分証明書などをカメラに撮像させて表示させたとしても、この身分証明書が正当な証明書であるのか、偽造された証明書であるのかどうかを判別することは非常に困難である。
【０００８】
このように、訪問者を撮像することができるインターホンシステムでは、住宅内にいる住人に、視覚的に訪問者を提示することができるという利点はあるが、不審な訪問者に対する安全性の面では上述したような問題を内包している。
【０００９】
そこで、正当な訪問者である、例えば、配送業者の配送員を撮像した画像と、正当な訪問者ではない、例えば、指名手配者を撮像した画像とを、あらかじめデータベースに格納しておき、訪問者が訪れた場合に撮像した画像と比較をすることで、正当な訪問者のみに応対し、それ以外の訪問者に対しては、不審者として所定の対応処理を行うといった防犯システムが開示されている（特許文献１参照。）。
【００１０】
また、ＲＦＩＤ（Radio Frequency IDentification）システムを利用して、住戸へ侵入した侵入者を自動的に検知する侵入者検知装置なども開示されている（特許文献２参照。）。
【特許文献１】特開２００４−０１３８７１号公報
【特許文献２】特開平９−２７００１１号公報
【発明の開示】
【発明が解決しようとする課題】
【００１１】
しかしながら、特許文献１で開示された技術では、訪問者の正当性を判別するのに、画像データを用いているため、演算処理に時間を要したり、画像処理による認証処理のため精度が今一つであったりといった問題がある。
【００１２】
また、比較対象となる大容量の画像データを保持するためのデータベースを、各住宅に備えることは非現実的であり、また、ネットワーク上に備えたデータベースに画像データを格納した場合には、比較処理をするために毎回要求される通信時間が非常に多くなってしまうといった複数の問題を抱えている。
【００１３】
また、特許文献２で開示された技術では、訪問者に対して、認証処理で用いるＲＦＩＤタグを発行するかどうかを、住戸内にいる住人の任意の判断に任せているため、巧妙に正当な訪問者になりすました不審者の排除をなんら解決するに至っていないといった問題がある。
【００１４】
そこで、本発明は、上述したような問題を解決するために案出されたものであり、訪問者との通話、画像による認証処理をしなくとも宅内にいながら、正当な訪問者であるのか、不審な訪問者であるのかを確実に判別することができるインターホンシステムを提供することを目的とする。
【００１５】
なお、上述した課題以外にもさらに課題がある場合は、発明を実施するための最良の形態に示し、その解決手法を適宜示すことにする。
【課題を解決するための手段】
【００１６】
本発明は、宅外に設置されたインターホン子機と、前記インターホン子機からの呼び出しに応じて応答し、前記インターホン子機との通話をする宅内に設置されたインターホン親機と、固有の識別子を保持してなるＩＤ（IDentification）タグと、正当な訪問者に付与された前記ＩＤタグの前記固有の識別子と、前記正当な訪問者に関連する関連情報とを対応付けて格納するデータベースを有するセンター装置とを備え、前記インターホン子機は、前記ＩＤタグから前記固有の識別子を読み取る読み取り手段を有し、前記センター装置は、前記読み取り手段によって読み取られた前記固有の識別子を用いて、前記データベースを参照し、前記固有の識別子の認証処理を行う認証処理手段と、前記認証処理手段によって、前記固有の識別子が認証された場合に、前記データベースより、前記固有の識別子に対応付けて格納されている前記関連情報を取得し、認証処理結果と、前記関連情報とを前記インターホン親機へ送信し、前記認証処理手段によって、前記固有の識別子が認証されなかった場合に、認証処理結果を前記インターホン親機へ送信する送信手段とを有し、前記インターホン親機は、前記送信手段によって送信された前記認証処理結果、前記関連情報を表示する表示手段を有することにより、上述の課題を解決する。
【発明の効果】
【００１７】
本発明のインターホンシステムは、正当な訪問者に事前に配布されているＩＤタグから、インターホン子機の読み取り手段で取得された固有の識別子を用いて、センター装置により認証処理を行い、正当な訪問者であるのか、正当な訪問者でない不審者であるのかをインターホン親機を介して宅内の住人に報知することができる。
【００１８】
したがって、本発明のインターホンシステムでは、訪問してきた訪問者との通話の必要もなく、撮像画像による認証処理も必要としない、極めて、安価な構成で、迅速な認証処理を実行することができるため、正当な訪問者になりすました不審者をも排除し、当該インターホンシステムを備えた宅内に住む住人の安全を確実に確保することを可能とする。
【００１９】
また、インターホン子機、又はインターホン親機に与えられたインターホンシステムが設置された住宅を一意に特定する住宅ＩＤを、ＩＤタグから取得した固有の識別子と共に、センター装置に送信して訪問者の行動履歴として管理することで、当該インターホンシステムに正当に登録された業務ユーザの業務管理を支援することを可能とする。    
【発明を実施するための最良の形態】
【００２０】
以下、本発明の実施の形態について図面を参照して説明する。
【００２１】
［第１の実施の形態］
まず、図１、図２を用いて本発明の第１の実施の形態として示すインターホンシステムについて説明をする。図１に示すように、第１の実施の形態として示すインターホンシステムは、インターホン子機１０と、インターホン親機２０と、センター装置３０と、ＩＤタグ４０とを備えている。
【００２２】
図２に示すように、インターホンシステムは、一般の住宅に用いられた場合、インターホン子機１０が、住宅外（宅外）の、例えば、住宅の出入り口であるドア６０近傍に設置され、インターホン親機２０が住宅内（宅内）に設置される。訪問者Ｘは、インターホン子機１０から、インターホン親機２０を介して住宅内にいる住人Ａと通話することができる。
【００２３】
インターホン子機１０、又はインターホン親機２０は、インターホンシステムを運営する運営業者が管理するセンター装置３０と、例えば、インターネットなどのネットワークを介して接続されており、このネットワークを介して、相互にデータ通信をすることができる。
【００２４】
第１の実施の形態として示すインターホンシステムは、訪問者に付与されたＩＤタグ４０の認証処理により、訪問者が正当な訪問者であるかどうかの判定をし、判定結果を住宅内にいる住人に通知することができる。
【００２５】
このインターホンシステムで用いられるＩＤタグ４０は、ＲＦＩＤ（Radio Frequency IDentification）システムにおける非接触情報媒体であり、内蔵されたＩＣ（Integrated Circuit）メモリ内に、当該ＩＤタグを一意に特定する固有の識別子（以下、固有識別子と呼ぶ。）を保持している。
【００２６】
ＲＦＩＤシステムで用いられる非接触情報媒体は、電波の送受信に必要となる動作電力の取得方法の違いからパッシブ型の非接触情報媒体と、アクティブ型の非接触情報媒体とに大別されるが、第１の実施の形態として示すインターホンシステムで用いられるＩＤタグ４０は、パッシブ型の非接触情報媒体であってもよいし、アクティブ型の非接触情報媒体であってもよい。
【００２７】
パッシブ型の非接触情報媒体を用いたＲＦＩＤシステムでは、非接触情報媒体が、リーダライタから送信された電波を受信し、受信した電波から電磁誘導によって動作電力を得ると共に、この電波を利用してリーダライタとの間でデータ通信を行う。
【００２８】
パッシブ型の非接触情報媒体と、リーダライタとは、この電波を送受信するためのアンテナコイルをそれぞれ内蔵しており、リーダライタ側のアンテナコイルが発生させる誘導電磁界によって、非接触情報媒体側のアンテナコイルに誘導磁束による誘起電力を生じさせている。このような、電磁誘導方式のリーダライタと、非接触情報媒体との適切な通信距離は、概ね数ｃｍ〜数十ｃｍ（１ｍ以内程度）となる。なお、相互誘導による電磁結合方式を採用しても無論良いものである。この場合、通信距離は数ｍｍ〜数ｃｍ程度である。
【００２９】
アクティブ型の非接触情報媒体を用いたＲＦＩＤシステムでは、非接触情報媒体が電源として電池を内蔵しており、この電池から供給される電力を用いてリーダライタとの間でデータ通信がなされる。つまり、アクティブ型の非接触情報媒体は、自ら能動的にリーダライタとの通信を実行することができる。
【００３０】
アクティブ型の非接触情報媒体は、電池を内蔵していることから、リーダライタとの無線通信距離が数メートル〜十数メートルというように、パッシブ型の非接触情報媒体と較べて広範囲の領域内での無線通信を実行することができるという特徴がある。アクティブ型の非接触情報媒体に電源として用いられる電池は、非常に小型（薄型）で、高寿命の電池である。
【００３１】
このようなＩＤタグ４０は、インターホンシステムを運営する運営業者に、インターホンシステムのサービスを利用するためにあらかじめ登録された正当な業者、例えば、荷物を配送する配送業者の各配送員や、警備会社に属する警備員に配布されることになる。ＩＤタグ４０は、常に配送員や、警備員が保持することができるように、例えば、キーホルダーや、バッジのように、身につけやすいように加工されている。
【００３２】
このように、配送業者の配送員や、警備会社の警備員などにＩＤタグ４０を配布する場合、ＩＤタグ４０の図示しないメモリ内には、固有識別子として、配送員個人を一意に特定することができる個人ＩＤと、配送員、警備員がそれぞれ所属する配送業者を一意に特定する業者ＩＤとが格納されることになる。
【００３３】
なお、ＩＤタグ４０を付与する人は、上述したような配送員、警備員ばかりではなく、インターホンシステムによるサービスの利用を受ける業者において、住宅を訪問するような所定の業務に従事する人であればどのような人であってもかまわない。
【００３４】
なお、以下の説明においては、インターホンシステムで提供するサービスを最大限活用することが想定される業者として、配送業者を選択し、配送業者に属する配送員にＩＤタグ４０が付与されている場合を例に挙げて説明をする。
【００３５】
続いて、図１を用いて、第１の実施の形態として示すインターホンシステムの詳細な構成について説明をする。
【００３６】
インターホン子機１０は、呼び出しボタン５と、インターホン部１１と、ＩＤ読み取り部１２と、通信部１３と、制御部１４とを備えている。
【００３７】
インターホン部１１は、インターホン親機２０のインターホン部２１と、音声による会話を行うための音声入力マイクや、音声出力スピーカからなる。
【００３８】
インターホン部１１は、インターホン子機１０に設けられた呼び出しボタン５を押下したことに応じた、制御部１４の制御により、インターホン親機２０を呼び出し、通信部１３、インターホン親機２０の通信部２２を介して、インターホン親機２０と通話をすることができる。
【００３９】
ＩＤ読み取り部１２は、ＩＤタグ４０が動作電源を内蔵したアクティブ型の非接触情報媒体である場合には、ＩＤタグ４０から、定期的にあるいは不定期に送信される電波を受信することで、電波に重畳された固有識別子を取得することができる。
【００４０】
また、ＩＤ読み取り部１２は、ＩＤタグ４０が動作電源を内蔵せず、電磁誘導によって、動作電源を確保するパッシブ型の非接触情報媒体である場合には、ＩＤタグ４０に対して定期的、あるいは不定期に質問電波を送信することで電源を与える。ＩＤ読み取り部１２は、質問電波に応答したＩＤタグ４０から送信される応答電波を受信することで、応答電波に重畳された固有識別子を取得することができる。
【００４１】
ＩＤ読み取り部１２で読み取られた固有識別子は、制御部１４に出力され、制御部１４、通信部１３を介してインターホン親機２０の通信部２２に出力される。
【００４２】
通信部１３は、インターホン親機２０の通信部２２を介して音声通信、データ通信するための通信インターフェースである。通信部１３は、所定の通信方式によりインターホン親機２０の通信部２２を介して、音声通信、データ通信をする。
【００４３】
制御部１４は、インターホン子機１０を統括的に制御する制御手段である。制御部１４は、インターホン親機２０との通話、ＩＤ読み取り部１２で読み取られた固有識別子の送信処理などの制御をする。
【００４４】
インターホン親機２０は、インターホン部２１と、通信部２２と、表示部２３と、センター通信部２４と、記録部２５と、制御部２６とを備えている。
【００４５】
インターホン部２１は、上述したインターホン子機１０のインターホン部１１と、音声による通話を行うための音声入力マイクや、音声出力スピーカからなる。
【００４６】
インターホン部２１は、インターホン子機１０の呼び出しボタン５が押下されたことに応じて、制御部２６の制御により、呼び出し鈴を鳴らし、住宅内にいる住人に訪問者がきたことを知らせる。知らせを聞いた住人は、図示しない通話応答用のボタンを押下したり、図示しない受話器を取ることで、訪問者との通話を開始する。
【００４７】
通信部２２は、インターホン子機１０の通信部１３を介して、音声通信、データ通信するための通信インターフェースである。通信部２２は、所定の通信方式によりインターホン子機１０の通信部１３を介して、音声通信、データ通信をする。
【００４８】
表示部２３は、制御部２６の制御に応じて、インターホン親機２０を制御するためのメニュー画面を表示したり、各種設定画面を表示したりする、例えば、薄型の液晶ディスプレイなどである。表示部２３は、インターホン子機１０から送信されたデータや、センター装置３０から、センター通信部２４を介して送信された訪問者の認証処理結果などの各種データを表示する。
【００４９】
さらに、表示部２３は、タッチパネルなどとすることで、インターホン親機２０の入力インターフェースも兼ねるようにしてもよい。
【００５０】
センター通信部２４は、ネットワークを介して接続されたセンター装置３０とデータ通信するための通信インターフェースである。
【００５１】
例えば、センター通信部２４は、制御部２６の制御に応じて、インターホン子機１０のＩＤ読み取り部１２で読み取られたＩＤタグ４０の固有識別子を、センター装置３０に送信する。また、センター通信部２４は、センター装置３０から送信された訪問者の認証処理結果などを受信する。
【００５２】
センター装置３０とのデータ通信を行うセンター通信部２４は、インターホン親機２０ではなく、インターホン子機１０に設けるようにしてもよい。この場合、ＩＤ読み取り部１２で読み取られたＩＤタグ４０の固有識別子は、インターホン子機１０から直接、センター装置３０に送信されることになる。
【００５３】
なお、以下において、センター通信部２４は、インターホン親機２０に備えられているものとして説明をする。
【００５４】
記録部２５は、インターホン子機１０から固有識別子が送信された場合に、その受信した固有識別子と、受信時刻とを記録する。
【００５５】
また、記録部２５は、配送エリアをもとに、あらかじめセンター装置３０から取得された、配送業務を行う可能性のある配送員の個人ＩＤを記録している。記録部２５に記録された個人ＩＤは、例えば、配送員がＩＤタグ４０を盗難、あるいは紛失などをして無くしてしまった場合に、配送員からセンター装置３０へ、その旨が通知されると、センター装置３０によって随時更新されるようになっている。
【００５６】
これにより、インターホン親機２０は、インターホン子機１０から固有の識別子である業者ＩＤと、個人ＩＤとが送信された際に、センター装置３０へ認証処理をさせることなく、訪問者が、不当に取得されたＩＤタグ４０を保持していることを、住人に知らせることができる。また、このように不当に取得されたＩＤタグ４０の使用が確認された場合には、直ちにセンター装置３０へ、その旨が通知される。
【００５７】
この記録部２５は、インターホン親機２０ではなく、インターホン子機１０が備えるようにしてもよい。
【００５８】
制御部２６は、インターホン親機２０を統括的に制御する制御手段である。制御部２６は、インターホン子機１０のインターホン部１１との通話及びデータ通信、センター装置３０とのデータ通信、受信したデータの表示部２３を介しての表示制御処理などを行う。
【００５９】
センター装置３０は、インターネットなどのネットワークを介して、住宅などに設けられた各インターホン親機２０と接続され、ネットワーク化されたインターホンシステム全体を統括的に管理する管理手段である。センター装置３０は、インターホンシステムを運営する運営業者によって管理されている。
【００６０】
上述した、センター通信部２４がインターホン子機１０に備えられている場合には、センター装置３０は、インターホン子機１０と接続されることになる。
【００６１】
ところで、インターホンシステムを利用するユーザには、インターホン子機１０、インターホン親機２０を住宅などに設けることでインターホンシステムを直接的に利用する一般ユーザと、配送業者のように、顧客に対する信頼や安心感を向上させる目的や、経営サイドでの業務管理を促進することを目的としてインターホンシステムを利用する業務ユーザとがいる。
【００６２】
センター装置３０は、これら一般ユーザと、業務ユーザとをそれぞれ管理するための管理データを格納したデータベース３１を備えている。
【００６３】
データベース３１には、当該インターホンシステムを利用する業務ユーザとして登録されている業者、例えば、配送業者などを一意に特定する業者ＩＤと、業者に属する個人、例えば、配送業者に属する配送員などを一意に特定する個人ＩＤとを、業者名を示す情報、配送者の氏名を示す情報などといった訪問者に関連する関連情報に対応付けて格納している。
【００６４】
また、データベース３１には、一般ユーザを管理するために、インターホン子機１０、又はインターホン親機２０に付与されている後述する住宅ＩＤと、インターホン親機２０を設置している住人の氏名を示す情報などを対応付けて格納している。
【００６５】
以下に、住宅ＩＤについて説明をする。インターホン子機１０又はインターホン親機２０には、インターホン子機１０又はインターホン親機２０が設置された住宅を一意に特定するための固有の識別情報が格納されている。この固有の識別情報が住宅ＩＤであり、主に、業務ユーザが、業務管理を促進するために利用する情報である。
【００６６】
配送業者のように、住宅を訪問して荷物を届けるような業務では、配送する荷物の行方を管理する必要がある。従来までは、荷物を直接配送する配送員が荷物を配送後に直接記録したり、伝票の受領印などから顧客へ荷物が配送されたことを確認していた。また、さらにこの配送結果を確実なものとするために、配送員が搭乗する車両や、配送員が保持する端末装置に取り付けられたＧＰＳ（Global Positioning System）、あるいは携帯電話のセルＩＤにより、配送員の位置情報を取得して、配送される荷物を管理していた。
【００６７】
しかしながら、ＧＰＳや、セルＩＤによって取得される位置情報は、精度に不確実性があり、また配送記録との関連性もないため、実際に荷物が配送されたのかを確認することができないといった問題があった。
【００６８】
そこで、この住宅ＩＤを利用すると、ＩＤタグ４０を保持している配送員が、どの住宅を訪問したかということを一元管理することができるため業務ユーザの業務管理を支援することができる。
【００６９】
住宅ＩＤは、インターホン子機１０のＩＤ読み取り部１２で読み取られ、インターホン親機２０を介してセンター装置３０へ認証処理のため送信される固有の識別子である業者ＩＤ、個人ＩＤなどと一緒にセンター装置３０へ送信される。
【００７０】
インターホン子機１０又はインターホン親機２０に格納されている住宅ＩＤは、ＩＤタグ４０からＩＤ読み取り部１２で読み取られた業者ＩＤ、個人ＩＤを、センター装置３０に送信する際に同時に送信される。
【００７１】
センター装置３０は、業者ＩＤ、個人ＩＤ、住宅ＩＤを受信すると、これらのＩＤを受信した時刻と共にデータベース３１に記録する。このように、データベース３１に記録すると、配送員の行動履歴となり、業務ユーザは、記録されたＩＤと、時刻情報とを参照することで、いつ、どの配送員が、どの住宅を訪れたかを把握することができる。つまり、センター装置３０によってデータベース３１には、配送員の行動履歴を記した行動履歴データベースが構築されることになる。
【００７２】
このとき、住宅のドア６０が開かれたことを検知するセンサなどを、インターホンシステムに設け、センサで検出された信号を、住宅ＩＤと共にセンター装置３０に送信するようにすると、配送物を住人に届けることができたのか、住人が不在であったのかなど、正確な配送状況を一元的に集中管理することができる。
【００７３】
また、配送物の受け取り記録を、例えば、配送者が保持する端末装置などからセンター装置３０へ送信し、行動履歴データベースに反映させることで、配送物を住人に届けることができたのか、住人が不在であったのかといった配送状況を、同様に集中管理することができる。
【００７４】
（ＩＤタグ４０：アクティブ型）
続いて、図３（ａ）、（ｂ）に示すフローチャート用いて第１の実施の形態として示すインターホンシステムにおいて、アクティブ型のＩＤタグ４０に対応した処理動作について説明をする。
【００７５】
なお、説明のため、インターホンシステムは、図２に示すように住宅に設置されており、住宅内には、住人Ａが存在しているものとする。
【００７６】
まず、図３（ａ）に示すフローチャートを用いて、インターホン子機１０の処理動作について説明をする。
【００７７】
ステップＳ１において、インターホン子機１０の制御部１４は、インターホン子機１０の呼び出しボタン５が訪問者Ｘによって押下されたかどうかを判定する。制御部１４は、呼び出しボタン５が押下された場合には、工程をステップＳ２へと進め、呼び出しボタン５が押下されない場合には、ステップＳ１を繰り返し、呼び出しボタン５の押下待機状態を継続する。
【００７８】
ステップＳ２において、訪問者Ｘが、呼び出しボタン５を押下したということは、訪問者Ｘが保持しているＩＤタグ４０と、インターホン子機１０のＩＤ読み取り部１２とが通信可能な位置であるため、ＩＤ読み取り部１２は、アクティブ型のＩＤタグ４０から定期的、あるいは不定期に送信されている電波を受信し、受信した電波に含まれるデータを読み出す。ＩＤ読み取り部１２は、固有識別子である業者ＩＤと、個人ＩＤとが含まれている場合にはそれらを読み出す。
【００７９】
制御部１４は、ＩＤ読み取り部１２で読み取られたデータを通信部１３を介してインターホン親機２０に送信する。
【００８０】
ステップＳ２の工程の後は、図３（ｂ）に示すインターホン親機２０による処理工程へと移行し、所定の認証処理が実行されることになる。
【００８１】
インターホン親機２０による処理が終了し、インターホン親機２０を介して、住人Ａからの応対があった場合にのみ、訪問者Ｘは、ステップＳ３において、住人Ａの応対に応答することができる。
【００８２】
続いて、図３（ｂ）に示すフローチャートを用いて、インターホン親機２０の処理動作について説明をする。
【００８３】
ステップＳ１１において、インターホン親機２０の制御部２６は、通信部２２介してインターホン子機１０から送信されたデータを受信したかどうかを判定する。制御部２６は、インターホン子機１０から送信されたデータを受信した場合には、工程をステップＳ１２へと進め、受信していない場合には、ステップＳ１１の工程を繰り返し、データの受信待機状態を継続する。
【００８４】
ステップＳ１２において、制御部２６は、通信部２２で受信されたデータにＩＤタグ４０の固有識別子である業者ＩＤと、個人ＩＤとが含まれているかどうかを判定する。
【００８５】
制御部２６は、受信したデータに固有識別子である業者ＩＤと、個人ＩＤとが含まれている場合には、工程をステップＳ１３へと進め、含まれていない場合には、工程をステップＳ１８へと進める。
【００８６】
ステップＳ１３において、制御部２６は、取得した固有識別子である業者ＩＤと、個人ＩＤとを、センター通信部２４を介して、センター装置３０に送信し、業者ＩＤ、個人ＩＤの認証処理を要求する。
【００８７】
このとき、制御部２６は、インターホン子機１０又はインターホン親機２０が保持している住宅ＩＤを、業者ＩＤと、個人ＩＤと共に、センター装置３０に送信するようにしてもよい。センター装置３０は、これらのＩＤをデータベース３１に記録することで、配送者の行動履歴を記した行動履歴データベースを構築する。これにより、業務ユーザである配送業者に対して配送者の行動履歴を提供することができるため、配送業者は、業務管理を行うことができる。
【００８８】
ステップＳ１４において、センター装置３０は、データベース３１を参照し、送信された固有識別子である業者ＩＤ、個人ＩＤとがデータベース３１に、登録されているかどうかを判定する認証処理を行う。
【００８９】
センター装置３０は、固有識別子である業者ＩＤと、個人ＩＤとが、登録された正当なＩＤである場合には、工程をステップＳ１５へと進め、正当なＩＤでない場合には、工程をステップＳ２１へと進める。
【００９０】
ステップＳ１５において、センター装置３０は、認証された固有識別子である業者ＩＤと、個人ＩＤとを、現在の時刻と共に記録する。これは、訪問者Ｘが訪問した際に、住人Ａが不在であった場合の措置であり、住人Ａは、帰宅した際に、センター装置３０へアクセスをし、データベース３１に記録された情報を取得し、表示部２３に表示させることで、正当な訪問者である訪問者Ｘが、訪問したことと、訪問した時刻とを知ることができる。
【００９１】
ステップＳ１６において、センター装置３０は、データベース３１に固有識別子である業者ＩＤと、個人ＩＤとに対応付けられて格納されている業者名を示す情報、配送者の氏名を示す情報といった訪問者に関連した関連情報を取得し、認証処理結果と共にインターホン親機２０にセンター通信部２４を介して送信する。
【００９２】
インターホン親機２０の制御部２６は、受信した認証処理結果と、業者名を示す情報、配送者の氏名を示す情報とを表示部２３に表示させて、訪問者Ｘが正当な訪問者であることを報知する。
【００９３】
ステップＳ１７において、住宅内にいる住人Ａは、インターホン親機２０の表示部２３に表示された情報を参照して、訪問者Ｘの呼び出しに応対する。
【００９４】
ステップＳ１８において、センター装置３０は、インターホン子機１０から送信されたデータに固有識別子である業者ＩＤと、個人ＩＤとが含まれていなかったことに応じて、その旨を、現在の時刻と共に記録する。これは、訪問者Ｘが訪問した際に、住人Ａが不在であった場合の措置であり、住人Ａは、帰宅した際に、センター装置３０へアクセスをして、データベース３１に記録された情報を取得し、表示部２３に表示させることで、固有識別子を持たない訪問者である訪問者Ｘが、訪問したことと、訪問した時刻とを知ることができる。
【００９５】
ステップＳ１９において、センター装置３０は、訪問者Ｘが、固有識別子である業者ＩＤと、個人ＩＤとを持っていないと判定した認証処理結果を、インターホン親機２０にセンター通信部２４を介して送信する。
【００９６】
インターホン親機２０の制御部２６は、受信した認証処理結果を表示部２３に表示させて、訪問者Ｘが正当な訪問者でないことを報知する。
【００９７】
ステップＳ１９の工程は、住人Ａによって任意に設定することができ、業者ＩＤと、個人ＩＤとを有していない訪問者が訪問した場合には、無視をして全く通知をしないようにすることもできる。
【００９８】
ステップＳ２０において、住宅内にいる住人Ａは、インターホン親機２０の表示部２３に表示された情報を参照して、訪問者Ｘの呼び出しに応対する。
【００９９】
ステップＳ２１において、センター装置３０は、固有識別子である業者ＩＤと、個人ＩＤとが正当なＩＤであると認証されなかったことに応じて、その旨を、現在の時刻と共に記録する。これは、訪問者Ｘが訪問した際に、住人Ａが不在であった場合の措置であり、住人Ａは、帰宅した際に、センター装置３０へアクセスをして、データベース３１に記録された情報を取得し、表示部２３に表示させることで、認証されなかった訪問者である訪問者Ｘが、訪問したことと、訪問した時刻とを知ることができる。
【０１００】
このようにして、本発明の第１の実施の形態として示すインターホンシステムは、正当な訪問者に事前に配布されているＩＤタグ４０から、インターホン子機１０のＩＤ読み取り部１２で取得された固有の識別子を、センター装置３０に送信し、センター装置３０による認証処理により、正当な訪問者であるのか、正当な訪問者でない不審者であるのかを判定することができる。
【０１０１】
したがって、このインターホンシステムでは、訪問してきた訪問者との通話の必要もなく、撮像画像による認証処理も必要としない、極めて、安価な構成で、迅速な認証処理を実行することで、例えば、世の中に優良として認知されている業者や、公的機関の名称を騙る不当な訪問者を判別することができるため、インターホンシステムを備えた住宅に住む住人の安全を確実に確保することができる。
【０１０２】
また、インターホン子機１０、又はインターホン親機２０に与えられたインターホンシステムを設置された住宅を一意に特定するための住宅ＩＤを、ＩＤタグ４０から取得した業者ＩＤ、個人ＩＤと共に、センター装置３０に送信して管理することで、住宅を訪問した配送業者に属する配送員や、警備会社に属する警備員などの行動履歴を管理することができる。
【０１０３】
（ＩＤタグ４０：パッシブ型）
次に、図４に示すフローチャートを用いて、第１の実施の形態として示すインターホンシステムにおいて、パッシブ型のＩＤタグ４０に対応した処理動作について説明をする。
【０１０４】
なお、パッシブ型のＩＤタグ４０を用いた場合、インターホン親機２０の処理動作は、図３（ｂ）のフローチャートを用いて説明した処理動作と同じであるため説明を省略し、インターホン子機１０の処理動作についてのみ説明をする。
【０１０５】
ステップＳ２１において、インターホン子機１０の制御部１４は、インターホン子機１０の呼び出しボタン５が訪問者Ｘによって押下されたかどうかを判定する。制御部１４は、呼び出しボタン５が押下された場合には、工程をステップＳ２２へと進め、呼び出しボタン５が押下されない場合には、ステップＳ２１を繰り返し、呼び出しボタン５の押下待機状態を継続する。
【０１０６】
ステップＳ２２において、訪問者Ｘが、呼び出しボタン５を押下したことで、制御部１４は、ＩＤ読み取り部１２を制御して、ＩＤタグ４０に対する質問電波を送信させる。訪問者Ｘが呼び出しボタン５を押下したということは、訪問者Ｘが保持しているＩＤタグ４０と、インターホン子機１０のＩＤ読み取り部１２とが通信可能な位置であるため、ＩＤ読み取り部１２から送信された質問電波が、ＩＤタグ４０によって受信されることになる。
【０１０７】
ＩＤタグ４０は、質問電波を受信したことで、動作電力を獲得し、メモリ内に格納されている固有識別子である業者ＩＤ、個人ＩＤとを読み出して、この業者ＩＤ、個人ＩＤとを重畳した応答電波を送信する。
【０１０８】
ステップＳ２３において、ＩＤ読み取り部１２は、ＩＤタグ４０から送信される応答電波を受信し、受信した電波に含まれるデータを読み出す。ＩＤ読み取り部１２は、固有識別子である業者ＩＤと、個人ＩＤとが含まれている場合には、それらを読み出す。
【０１０９】
制御部１４は、ＩＤ読み取り部１２で読み取られたデータを通信部１３を介してインターホン親機２０に送信する。
【０１１０】
ステップＳ２の工程の後は、図３（ｂ）に示すインターホン親機２０による処理工程へと移行し、所定の認証処理が実行されることになる。
【０１１１】
インターホン親機２０による処理が終了し、インターホン親機２０を介して、住人Ａからの応対があった場合にのみ、訪問者Ｘは、ステップＳ２４において、住人Ａの応対に応答することができる。
【０１１２】
このように、本発明の第１の実施の形態として示すインターホンシステムで、ＩＤタグ４０をパッシブ型とした場合、訪問者Ｘが呼び出しボタン５を押下した時に初めて、制御部１４の制御に応じて、ＩＤ読み取り部１２から質問信号が送信されるので、訪問者がいない場合に、無意味に質問信号を送信する必要がなくなるため、大幅に消費電力を低減させることができる。
【０１１３】
また、本発明の第１の実施の形態として示すインターホンシステムにおいて、正当な訪問者に付与するＩＤタグ４０を、インターホンシステムを利用する業務ユーザのみだけではなく、インターホンシステムのインターホン子機１０、インターホン親機２０が取り付けられた住宅の近隣に住む住人、集合住宅の場合には、同じ集合住宅内に住む住人に配布すれば、不審者として表示部２３へ提示する際のフィルタとなり、より確実で、迅速な犯罪対策を実行することができる。
【０１１４】
特に、集合住宅などでは、全ての住戸に同一のインターホンシステムを設置することが可能となるため、より総合的なセキュリティ対策を実現することができる。
【０１１５】
［第２の実施の形態］
続いて、図５、図６を用いて、本発明の第２の実施の形態として示すインターホンシステムについて説明をする。
【０１１６】
第２の実施の形態として示すインターホンシステムは、図１を用いて説明した第１の実施の形態として示すインターホンシステムのインターホン子機１０に人体検出センサ部１５を付加した構成である。また、第２の実施の形態として示すインターホンシステムにおいて用いられるＩＤタグ４０は、パッシブ型の非接触情報媒体であり、図６に示すように、訪問者Ｘに保持されている。
【０１１７】
このように、図５、図６に第２の実施の形態として示すインターホンシステムは、インターホン子機１０に、人体検出センサ部１５が付加された以外、第１の実施の形態として示すインターホンシステムと同一であるため、重複する機能部については、同一符号を付し説明を省略する。
【０１１８】
インターホン子機１０に、新たに付加された人体検出センサ部１５は、例えば、人体から発せられる赤外線を検出することとで人体を感知するセンサ、又は人体の動きを検出することで人体を感知するセンサなどであり、このセンサから検出された信号を検出信号として、制御部１４へ出力する。
【０１１９】
人体検出センサ部１５の人体検出範囲は、パッシブ型のＩＤタグ４０と、ＩＤ読み取り部１２との通信範囲と同程度とするか、若干広めの範囲とする。
【０１２０】
制御部１４は、人体検出センサ部１５から検出信号が出力されたことに応じて、人体検出センサ部１５の人体検出範囲内、つまりインターホン子機１０近傍の所定の範囲内に、人体が存在すると判定し、パッシブ型の非接触情報媒体であるＩＤタグ４０に質問信号を送信する。
【０１２１】
なお、人体検出センサ部１５は、図５に示すように、インターホン子機１０内に構成させる以外にも、インターホン子機１０と、別ユニットとして設けるようにしてもよい。この場合、制御部１４による制御などは、インターホン子機１０内に構成させた場合と、全く同じであるが、人体検出センサ部１５の設置位置の自由度が広がるため、認証処理を開始させるタイミングを調節することができる。
【０１２２】
次に、図７に示すフローチャートを用いて、インターホン子機１０の処理動作について説明をする。なお、パッシブ型のＩＤタグ４０を用いた場合、インターホン親機２０の処理動作は、図３（ｂ）のフローチャートを用いて説明した処理動作と同じであるため説明を省略し、インターホン子機１０の処理動作についてのみ説明をする。
【０１２３】
ステップＳ３１において、インターホン子機１０の制御部１４は、人体検出センサ部１５で人体が検出され検出信号が出力されたかどうかを判定する。制御部１４は、人体検出センサ部１５で人体が検出され、検出信号が出力された場合には、工程をステップＳ３２へと進め、人体が検出されず、検出信号出力されない場合には、ステップＳ３１の工程を繰り返し、検出信号の受信待機状態を継続する。
【０１２４】
ステップＳ３２において、制御部１４は、人体検出センサ部１５から検出信号が出力されたことに応じて、ＩＤ読み取り部１２を制御して、パッシブ型の非接触情報媒体であるＩＤタグ４０に質問電波を送信させる。
【０１２５】
上述したように、人体検出センサ部１５の人体検出範囲は、パッシブ型のＩＤタグ４０と、ＩＤ読み取り部１２との通信範囲と同程度とするか、若干広めの範囲としているため、人体検出センサ部１５から検出信号が出力されたということは、訪問者Ｘが保持しているＩＤタグ４０と、インターホン子機１０のＩＤ読み取り部１２とがほぼ通信可能な位置にあるといえる。
【０１２６】
したがって、このタイミングで、ＩＤ読み取り部１２からＩＤタグ４０に質問電波を送信すると、パッシブ型の非接触情報媒体であるＩＤタグは、質問電波を受信したことで、動作電力を獲得し、メモリ内に格納されている固有識別子である業者ＩＤ、個人ＩＤとを読み出して、この業者ＩＤ、個人ＩＤとを重畳した応答電波を送信する。
【０１２７】
ステップＳ３３において、ＩＤ読み取り部１２は、ＩＤタグ４０から送信される応答電波を受信し、受信した応答電波に含まれるデータを読み出す。ＩＤ読み取り部１２は、固有識別子である業者ＩＤと、個人ＩＤとが含まれている場合には、それらを読み出す。
【０１２８】
制御部１４は、ＩＤ読み取り部１２で読み取られたデータを通信部１３を介してインターホン親機２０に送信する。
【０１２９】
ステップＳ３３の工程の後は、図３（ｂ）に示すインターホン親機２０による処理工程へと移行し、所定の認証処理が実行されることになる。
【０１３０】
インターホン親機２０による処理が終了し、インターホン親機２０を介して、住人Ａからの応対があった場合にのみ、訪問者Ｘは、ステップＳ３４において、住人Ａの応対に応答することができる。
【０１３１】
このように、ＩＤタグ４０をパッシブ型の非接触情報媒体とし、インターホン子機１０に人体検出センサ部１５を備えたインターホンシステムでは、訪問者Ｘが、インターホン子機１０に近づき、人体検出センサ部１５で人体が検出された時に初めて、制御部１４の制御に応じて、ＩＤ読み取り部１２から質問電波が送信されるので、訪問者がいない場合に、無意味に質問信号を送信する必要がなくなるため、大幅に消費電力を低減することができる。
【０１３２】
また、上述した第１の実施の形態として示したインターホンシステムにおいては、呼び出しボタン５の押下によって質問電波を送信するようにしているため、同様に消費電力を削減することができるが、本発明の第２の実施の形態として示すインターホンシステムにおいては、質問電波を送信するプロセスが自動化されており、人体検出センサ部１５の人体検出範囲を適切に調節すれば、呼び出しボタン５を押下される前に質問信号を送信することができるため、認証処理を迅速に実行することができるという利点がある。
【０１３３】
また、インターホン子機１０に、人体検出センサ部１５を設けたことで、ＩＤタグ４０を保持していない訪問者が訪れたこと場合でも、その旨を検出することができる。
【０１３４】
［第３の実施の形態］
次に、図８を用いて、本発明の第３の実施の形態として示すインターホンシステムについて説明をする。
【０１３５】
第３の実施の形態として示すインターホンシステムは、図５を用いて説明した、第２の実施の形態として示すインターホンシステムのインターホン子機１０に、カメラ部１６を付加した構成である。また、第３の実施の形態として示すインターホンシステムにおいて用いられるＩＤタグ４０は、アクティブ型の非接触情報媒体であってもよいし、パッシブ型の非接触情報媒体であってもよい。
【０１３６】
このように、図８に示す第３の実施の形態として示すインターホンシステムは、インターホン子機１０に、カメラ部１６が付加され、対応するＩＤタグ４０としてアクティブ型のＩＤタグ４０が追加された以外、第２の実施の形態として示すインターホンシステムと同一であるため、重複する機能部については、同一符号を付し説明を省略する。
【０１３７】
インターホン子機１０に、新たに付加されたカメラ部１６は、ドア６０近傍に存在する人体を撮像するための、例えば、小型で高画質の画像を撮像することができるＣＣＤ（Charge Coupled Devices ）カメラなどである。カメラ部１６で撮像される画像は、動画像であってもよいし、所定の時間間隔で断続的に撮像される静止画像であってもよい。
【０１３８】
カメラ部１６は、人体検出センサ部１５によって人体が検出され、検出信号を受信した制御部１４の制御、又はインターホン子機１０の呼び出しボタン５が押下されたことに応じた制御部１４の制御に応じて撮像を開始する。
【０１３９】
カメラ部１６によって撮像された画像は、通信部１３、インターホン親機２０の通信部２２を介してインターホン親機２０に送信され、記録部２５に記録されると共に、認証処理結果を表示部２３で表示させる際に同時に表示され、訪問者の識別を視覚的に支援する。記録部２５が、インターホン子機１０に備えられている場合には、カメラ部１６によって撮像された画像は、インターホン子機１０の記録部２５に記録される。
【０１４０】
カメラ部１６で撮像された画像は、センター装置３０によるＩＤタグ４０の固有識別子の認証処理結果を問わず、記録部２５に記録されることになる。これにより、訪問者が訪れた際に、住人が不在であった場合には、帰宅後に記録部２５に記録された画像を表示部２３を介して閲覧することで、どのような人が訪問したかを知ることができる。
【０１４１】
特に、センター装置３０によって認証されなかった訪問者、既に無効となっていたり、不正に入手された可能性のあるＩＤタグ４０を保持している訪問者、ＩＤタグ４０を全く保持していない訪問者の画像も記録部２５に記録されるため、犯罪捜査の手がかりとなる情報を自動的に取得することができる。
【０１４２】
このとき、正当な訪問者に付与するＩＤタグ４０を、インターホンシステムを利用する業務ユーザのみだけではなく、インターホンシステムのインターホン子機１０、インターホン親機２０が取り付けられた住宅の近隣に住む住人、集合住宅の場合には、同じ集合住宅内に住む住人に配布すれば、不審者として記録部２５に記録される画像を選別する際のフィルタとなり、より確実で、迅速な犯罪対策を実行することができる。
【０１４３】
特に、集合住宅などでは、全ての住戸に同一のインターホンシステムを設置することが可能となるため、より総合的なセキュリティ対策を実現することができる。
【０１４４】
なお、カメラ部１６は、図８に示すように、インターホン子機１０内に構成させる以外にも、インターホン子機１０と、別ユニットとして設けるようにしてもよい。この場合、制御部１４による制御などは、インターホン子機１０内に構成させた場合と、全く同じであるが、カメラ部１６の設置位置の自由度が広がるため、最適なアングルから訪問者を撮像することができる。
【０１４５】
また、カメラ部１６として、赤外線領域で感度が高いＣＣＤカメラと、近赤外線ＬＥＤ（Light Emitting Diode）照明の両方を搭載させ、夜間でも良好な画像を撮像するようにすると、さらに効果的である。
【０１４６】
続いて、図９（ａ）、（ｂ）に示すフローチャートを用いて、第３の実施の形態として示すインターホンシステムにおいて、アクティブ型のＩＤタグ４０、パッシブ型のＩＤタグ４０に対応した処理動作について説明をする。
【０１４７】
なお、説明のため、インターホンシステムは、図６に示すように住宅に設置されており、住宅内には、住人Ａが存在しているものとする。
【０１４８】
パッシブ型のＩＤタグ４０を用いた際の処理動作と、アクティブ型のＩＤタグ４０を用いた際の処理動作は、インターホン子機１０の処理動作が２工程だけ異なるだけであるため、図９（ａ）に示すフローチャート内で同時に説明をする。また、ＩＤタグ４０にアクティブ型、パッシブ型の断りがない場合には、どちらでも同じ処理動作になることとして説明をする。
【０１４９】
まず、図９（ａ）に示すフローチャートを用いて、インターホン子機１０の処理動作について説明をする。
【０１５０】
ステップＳ４１において、インターホン子機１０の制御部１４は、人体検出センサ部１５で人体が検出され、検出信号が出力されたかどうかを判定する。制御部１４は、人体検出センサ部１５で人体が検出され、検出信号が出力された場合には、工程をステップＳ４２へと進め、人体が検出されず、検出信号出力されない場合には、ステップＳ４１の工程を繰り返し、検出信号の受信待機状態を継続する。
【０１５１】
ステップＳ４２において、制御部１４は、人体検出センサ部１５によって人体が検出され、検出信号が出力されたことに応じて、カメラ部１６を制御し、ドア６０近傍に存在する訪問者Ｘの撮像を開始する。撮像された画像は、通信部１３、通信部２２を介してインターホン親機２０に送信され、記録部２５に記録される。
【０１５２】
次のステップＳ４３ａは、ＩＤタグ４０がパッシブ型の非接触情報媒体であった場合に増加される工程であり、ＩＤタグ４０がアクティブ型の非接触情報媒体である場合には省略される工程である。
【０１５３】
ステップＳ４３ａにおいて、制御部１４は、人体検出センサ部１５から検出信号が出力されたことに応じて、ＩＤ読み取り部１２を制御して、パッシブ型の非接触情報媒体であるＩＤタグ４０に質問電波を送信させる。
【０１５４】
上述したように、人体検出センサ部１５の人体検出範囲は、パッシブ型のＩＤタグ４０と、ＩＤ読み取り部１２との通信範囲と同程度とするか、若干広めの範囲としているため、人体検出センサ部１５から検出信号が出力されたということは、訪問者Ｘが保持しているＩＤタグ４０と、インターホン子機１０のＩＤ読み取り部１２とがほぼ通信可能な位置にあるといえる。
【０１５５】
したがって、このタイミングで、ＩＤ読み取り部１２からＩＤタグ４０に質問電波を送信すると、パッシブ型の非接触情報媒体であるＩＤタグは、質問電波を受信したことで、動作電力を獲得し、メモリ内に格納されている固有識別子である業者ＩＤ、個人ＩＤとを読み出して、この業者ＩＤ、個人ＩＤとを重畳した応答電波を送信する。
【０１５６】
ステップＳ４３は、アクティブ型のＩＤタグ４０、パッシブ型のＩＤタグ４０によって処理内容が異なる。
【０１５７】
（アクティブ型のＩＤタグ４０の場合）
ＩＤ読み取り部１２は、アクティブ型のＩＤタグ４０から定期的、あるいは不定期に送信されている電波を受信し、受信した電波に含まれるデータを読み出す。ＩＤ読み取り部１２は、固有識別子である業者ＩＤと、個人ＩＤとが含まれている場合にはそれらを読み出す。
【０１５８】
制御部１４は、ＩＤ読み取り部１２で読み取られたデータを通信部１３を介してインターホン親機２０に送信する。
【０１５９】
（パッシブ型のＩＤタグ４０の場合）
ＩＤ読み取り部１２は、パッシブ型のＩＤタグ４０から送信される応答電波を受信し、受信した応答電波に含まれるデータを読み出す。ＩＤ読み取り部１２は、固有識別子である業者ＩＤと、個人ＩＤとが含まれている場合には、それらを読み出す。
【０１６０】
制御部１４は、ＩＤ読み取り部１２で読み取られたデータを通信部１３を介してインターホン親機２０に送信する。
【０１６１】
ステップＳ４３の工程の後は、図９（ｂ）に示すインターホン親機２０、センター装置３０による処理工程へと移行し、所定の認証処理が実行されることになる。
【０１６２】
ステップＳ４４において、訪問者は、インターホン子機１０の呼び出しボタン５を押下する。この呼び出しボタン５が押下されると、インターホン親機２０では、住人Ａを呼び出す呼び出し音が報知されるとともに、センター装置３０による認証処理結果が表示部２３を介して表示されることになる。
【０１６３】
そして、インターホン親機２０による処理が終了し、インターホン親機２０を介して、住人Ａからの応対があった場合にのみ、訪問者Ｘは、ステップＳ４５において、住人Ａの応対に応答することができる。
【０１６４】
図９（ａ）に示すフローチャートでは、カメラ部１６の撮像開始タイミングを人体検出センサ部１５で、人体の存在が検出されたタイミングとしているが、インターホン子機１０の呼び出しボタン５を押下したことに応じて、撮像を開始するようにしてもよい。つまり。ステップＳ４２の工程を、ステップＳ４４の後となるようにしてもよい。
【０１６５】
続いて、図９（ｂ）に示すフローチャートを用いて、インターホン親機２０の処理動作について説明をする。
【０１６６】
ステップＳ５１において、インターホン親機２０の制御部２６は、通信部２２介してインターホン子機１０から送信されたデータを受信したかどうかを判定する。制御部２６は、インターホン子機１０から送信されたデータを受信した場合には、工程をステップＳ５２へと進め、受信していない場合には、ステップＳ５１の工程を繰り返し、データの受信待機状態を継続する。
【０１６７】
ステップＳ５２において、制御部２６は、通信部２２で受信されたデータにＩＤタグ４０の固有識別子である業者ＩＤと、個人ＩＤとが含まれているかどうかを判定する。
【０１６８】
制御部２６は、受信したデータに固有識別子である業者ＩＤと、個人ＩＤとが含まれている場合には、工程をステップＳ５３へと進め、含まれていない場合には、工程をステップＳ５８へと進める。
【０１６９】
ステップＳ５３において、制御部２６は、取得した固有識別子である業者ＩＤと、個人ＩＤとを、センター通信部２４を介して、センター装置３０に送信し、業者ＩＤ、個人ＩＤの認証処理を要求する。
【０１７０】
このとき、制御部２６は、インターホン子機１０又はインターホン親機２０が保持している住宅ＩＤを、業者ＩＤと、個人ＩＤと共に、センター装置３０に送信するようにしてもよい。センター装置３０は、これらのＩＤをデータベース３１に記録することで、配送者の行動履歴を記した行動履歴データベースを構築する。これにより、業務ユーザである配送業者に対して配送者の行動履歴を提供することができるため、配送業者は、業務管理を行うことができる。
【０１７１】
ステップＳ５４において、センター装置３０は、データベース３１を参照し、送信された固有識別子である業者ＩＤ、個人ＩＤとがデータベース３１に、登録されているかどうかを判定する。
【０１７２】
センター装置３０は、固有識別子である業者ＩＤと、個人ＩＤとが、登録された正当なＩＤである場合には、工程をステップＳ５５へと進め、正当なＩＤでない場合には、工程をステップＳ５８へと進める。
【０１７３】
ステップＳ５５において、センター装置３０は、認証された固有識別子である業者ＩＤと、個人ＩＤとを、現在の時刻と共に記録する。これは、訪問者Ｘが訪問した際に、住人Ａが不在であった場合の措置であり、住人Ａは、帰宅した際に、センター装置３０へアクセスをし、データベース３１に記録された情報を取得し、表示部２３に表示させることで、正当な訪問者である訪問者Ｘが、訪問したことと、訪問した時刻とを知ることができる。
【０１７４】
ステップＳ５６において、センター装置３０は、データベース３１に固有識別子である業者ＩＤと、個人ＩＤとに対応付けられて格納されている業者名を示す情報、配送者の氏名を示す情報といった訪問者に関連した関連情報を取得し、認証処理結果と共にインターホン親機２０にセンター通信部２４を介して送信する。
【０１７５】
インターホン親機２０の制御部２６は、インターホン子機１０の呼び出しボタン５の押下（図９（ａ）：ステップＳ４４）に応じて、呼び出し音を鳴らすと共に、受信した認証処理結果と、業者名を示す情報、配送者の氏名を示す情報とを表示部２３に表示させて、訪問者Ｘが正当な訪問者であることを報知する。
【０１７６】
このとき、制御部２６は、カメラ部１６で撮像されている画像も同時に表示部２３に表示させる。
【０１７７】
ステップＳ５７において、住宅内にいる住人Ａは、インターホン親機２０の表示部２３に表示された情報及び画像を参照して、訪問者Ｘの呼び出しに応対する。
【０１７８】
ステップＳ５８において、センター装置３０は、インターホン子機１０から送信されたデータに固有識別子である業者ＩＤと、個人ＩＤとが含まれていなかったこと、又は固有識別子である業者ＩＤと、個人ＩＤとが正当なＩＤであると認証されなかったことに応じて、その旨を、現在の時刻と共に記録する。
【０１７９】
これは、訪問者Ｘが訪問した際に、住人Ａが不在であった場合の措置であり、住人Ａは、帰宅した際に、センター装置３０へアクセスをして、データベース３１に記録された情報を取得し、表示部２３に表示させることで、固有識別子を持たない訪問者である訪問者Ｘが、訪問したことと、訪問した時刻、又は認証されなかった訪問者である訪問者Ｘが、訪問したこととと、訪問した時刻とを知ることができる。
【０１８０】
ステップＳ５９において、センター装置３０は、訪問者Ｘが、固有識別子である業者ＩＤと、個人ＩＤとを持っていない訪問者であること、又は固有識別子である業者ＩＤと、個人ＩＤとが正当なＩＤであると認証されなかった訪問者であることに応じて、その旨を示す認証処理結果を、インターホン親機２０にセンター通信部２４を介して送信する。
【０１８１】
インターホン親機２０の制御部２６は、インターホン子機１０の呼び出しボタン５の押下（ステップＳ４４：図９（ａ））に応じて、警告音を鳴らすと共に、受信した認証処理結果を表示部に表示させて、訪問者Ｘが正当な訪問者でないことを報知する。
【０１８２】
このとき、制御部２６は、カメラ部１６で撮像されている画像も同時に表示部２３に表示させる。
【０１８３】
ステップＳ５９の工程は、住人Ａによって任意に設定することができ、業者ＩＤと、個人ＩＤとを有していない訪問者が訪問した場合には、無視をして全く通知をしないようにすることもできる。
【０１８４】
ステップＳ６０において、住宅内にいる住人Ａは、インターホン親機２０の表示部２３に表示された情報及び画像を参照し、場合によっては訪問者Ｘの呼び出しに応対する。
【０１８５】
このようにして、本発明の第３の実施の形態として示すインターホンシステムは、正当な訪問者に事前に配布されているＩＤタグ４０から、インターホン子機１０のＩＤ読み取り部１２で取得された固有の識別子を、センター装置３０に送信し、センター装置３０による認証処理により、正当な訪問者であるのか、正当な訪問者でない不審者であるのかを判定することができる。
【０１８６】
したがって、この第３の実施の形態として示すインターホンシステムでは、訪問してきた訪問者との通話の必要もなく、撮像画像による認証処理も必要としない、極めて、安価な構成で、迅速な認証処理を実行することで、例えば、世の中に優良として認知されている業者や、公的機関の名称を騙る不当な訪問者を判別することができるため、インターホンシステムを備えた住宅に住む住人の安全を確実に確保することができる。
【０１８７】
また、インターホン子機１０、又はインターホン親機２０に与えられたインターホンシステムを設置された住宅を一意に特定するための住宅ＩＤを、ＩＤタグ４０から取得した業者ＩＤ、個人ＩＤと共に、センター装置３０に送信して管理することで、住宅を訪問した配送業者に属する配送員や、警備会社に属する警備員の行動履歴を管理することができる。
【０１８８】
さらに、第３の実施の形態として示すインターホンシステムでは、ドア６０近傍に設置されたインターホン子機１０に備えられた人体検出センサ部１５によって、人体が検知されたこと、或いはインターホン子機１０に備えられた呼び出しボタン５が押下されたことに応じて、カメラ部１６で訪問者を撮像し、インターホン親機２０の表示部２３を介して表示させることで、正当な訪問者であるのか、正当な訪問者でない不審者であるのかを住人に視覚的に提示することができるため、不審者の区別が容易になる。
【０１８９】
また、センター装置３０によって認証されなかった訪問者、既に無効となっていたり、不正に入手された可能性のあるＩＤタグ４０を保持している訪問者、ＩＤタグ４０を全く保持していない訪問者の画像も記録部２５に記録されるため、犯罪捜査の手がかりとなる情報を自動的に取得することができる。
【０１９０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【０１９１】
【図１】本発明の第１の実施の形態として示すインターホンシステムの構成について説明するための図である。
【図２】上記第１の実施の形態として示すインターホンシステムを住宅に設置した際の様子を示した図である。
【図３】上記第１の実施の形態として示すインターホンシステムにおいて、（ａ）は、インターホン子機の処理動作について説明するためのフローチャートであり、（ｂ）は、インターホン親機の処理動作について説明するためのフローチャートである。
【図４】上記第１の実施の形態として示すインターホンシステムにおいて、ＩＤタグを、パッシブ型の非接触情報媒体とした場合のインターホン子機の処理動作について説明をするためのフローチャートである。
【図５】本発明の第２の実施の形態として示すインターホンシステムの構成について説明するための図である。
【図６】上記第２の実施の形態として示すインターホンシステムを住宅に設置した際の様子を示した図である。
【図７】上記第２の実施の形態として示すインターホンシステムにおいて、インターホン子機の処理動作について説明するためのフローチャートである。
【図８】本発明の第３の実施の形態として示すインターホンシステムの構成について説明するための図である。
【図９】上記第３の実施の形態として示すインターホンシステムにおいて、（ａ）は、インターホン子機の処理動作について説明するためのフローチャートであり、（ｂ）は、インターホン親機の処理動作について説明するためのフローチャートである。
【符号の説明】
【０１９２】
１０  インターホン子機
１２  ＩＤ（IDentification）読み取り部
１４  制御部
１５  人体検出センサ部
１６  カメラ部
２０  インターホン親機
２２  通信部
２３  表示部
２４  センター通信部
２５  記録部
２６  制御部
３０  センター装置
３１  データベース
４０  ＩＤタグ
【図１】
2006303806.tif 000003
【図２】
2006303806.tif 000004
【図３】
2006303806.tif 000005
【図４】
2006303806.tif 000006
【図５】
2006303806.tif 000007
【図６】
2006303806.tif 000008
【図７】
2006303806.tif 000009
【図８】
2006303806.tif 000010
【図９】
2006303806.tif 000011